【手続補正書】
【提出日】平成19年1月12日(2007.1.12)
【手続補正１】
【補正対象書類名】明細書
【補正対象項目名】０００３
【補正方法】変更
【補正の内容】
【０００３】
また、別の床暖房装置として、下記特許文献２には、下面にアルミニウム箔を接着した方形状の珪酸カルシウム板の上面に、サーモスタットにより設定温度に制御されるシート状発熱体を接着し、その上面にガラス繊維を格子状に繊成したガラスシートを接着し、さらにその上面に肉薄の自然石板または擬石板を接着して構成されるものが知られている。サーモスタットはシート状発熱体に設けられた電気コードに接続されている。
【手続補正２】
【補正対象書類名】明細書
【補正対象項目名】０００５
【補正方法】変更
【補正の内容】
【０００５】
したがって、本発明の目的は、大工工事および電気工事を含む種々の工事が要求される床暖房装置の設置において、電熱マットの敷設から床仕上げまでの一連の作業を大工工事だけで一貫して行うことができるような新規の構成を有する床暖房装置を提供することにある。
【手続補正３】
【補正対象書類名】明細書
【補正対象項目名】０００７
【補正方法】変更
【補正の内容】
【０００７】
配線ボックスとコントローラとを連結するケーブルは、電熱マット側ケーブルとコントローラ側ケーブルとを有してなり、これらケーブル同士が相互に直接接続可能であり、また、別途用意した延長ケーブルを介しての接続も可能である。本発明においては、暖房用床板の下面、即ち、配線ボックスから暖房用床板の下面を経由し壁内に至る部分のケーブルが、細長状のマット上に配線コードが直線状に配置され、その表面にアルミ箔等の熱分散性の優れたシートを積層一体化されたものを用いる。このように積層一体化されたケーブルを使用することにより、ケーブルを梱包してある間に折り曲げられた部分が波打ったり、配線の際にねじ曲がったりすることを防止することができる。
【手続補正４】
【補正対象書類名】明細書
【補正対象項目名】０００８
【補正方法】変更
【補正の内容】
【０００８】
電熱マットは、弾力性を有するマット上に電気ヒーター線を蛇行状に配置してなる。さらに電気ヒーター線に沿って同じく蛇行状に感熱線を設けることが好ましい。感熱線を設けることにより、電気ヒーター線の過熱を防止することができる。マット内を蛇行状に配線される電気ヒーター線および感熱線は、電熱マットに設けられる配線ボックスに出入する。電熱マットには、さらに、電気ヒーター線および感熱線と重ならない位置において細長状または短冊状の薄板（小根太）を電熱マット上に設けておくことが好ましく、これにより上からの荷重がヒーター線や感熱線に直接作用することを防止して、ヒーター線および感熱線を保護する。
【手続補正５】
【補正対象書類名】明細書
【補正対象項目名】００２２
【補正方法】変更
【補正の内容】
【００２２】
暖房用床板２は基材の表面に化粧材を貼着して構成され、その長手方向に沿って雄実２ａおよび雌実２ｂが形成されている（図４、６）。基板は、合板、木質板、木質繊維板（ＭＤＦなど）、木削片板、単板積層板などの木質系、スチロール樹脂板、塩化ビニル樹脂板、強化プラスチック板、発泡スチロール樹脂板、発泡ウレタン樹脂板などの合成樹脂系、または木質系と合成樹脂系との複合積層板などからなる。このような基板上に貼着する化粧材としては、天然木材を切削して得られる天然突板、人工突板、不織布、紙、合成樹脂シートなどを用いることができ、可撓性を有する材料のシートに各種模様を印刷したものを用いてもよい。化粧材として用いる合成樹脂シートとしては、たとえばオレフィン樹脂、塩化ビニル樹脂、ポリエステル樹脂、アクリル樹脂などを用いることができる。化粧材の厚さはたとえば０．０５〜１ｍｍの範囲で決定される。
【手続補正６】
【補正対象書類名】明細書
【補正対象項目名】００２５
【補正方法】変更
【補正の内容】
【００２５】
電熱マット１を構成する左右一対の電熱マット１ａ，１ｂには一つの共通の配線ボックス９が設けられて、配線ボックス９からケーブル２０が引き出されている。ケーブル２０には、ヒーター線、温度感知線、信号線など複数本のコードが必要であり、それらの接合作業を確実且つ簡単に行うために、コネクタ６による接続方法が採用されることが好ましい。
【手続補正７】
【補正対象書類名】明細書
【補正対象項目名】００２９
【補正方法】変更
【補正の内容】
【００２９】
ケーブル２０の配線に際しては、配線ボックス９およびコントローラ３の位置などに応じて配線経路を決定し、この配線経路に沿って周辺パネル１０を切り欠いて形成したケーブル収容溝２４に電熱マット側ケーブル２０を収容する。床暖房装置が設置される部屋の収納家具や開口部などの配置その他の諸条件によって、配線ボックス９からケーブル導出口に至る斜行状のケーブル配線経路となるようにケーブル収容溝２４を形成しても良い。
【手続補正８】
【補正対象書類名】明細書
【補正対象項目名】００３０
【補正方法】変更
【補正の内容】
【００３０】
ケーブル収容溝２４は、周辺パネル１０を表裏に貫通するものとして形成されている。前述のように周辺パネル１０は、この実施形態では３ｍｍ厚であるので、カッター等により切削することで簡単に形成することが可能である。また、周辺パネル１０を下地板１７上に固定する際に隙間を開けることによりケーブル収容溝２４を形成することもできる。電熱マット側ケーブル２０は幅広平坦形状であるので、その幅よりも若干広い幅にケーブル収容溝２４を形成しておけば、３ｍｍ厚のケーブル収容溝２４内に完全に収容させることができる。
【手続補正９】
【補正対象書類名】明細書
【補正対象項目名】００３１
【補正方法】変更
【補正の内容】
【００３１】
上述のようにして配線ボックス９からケーブル収容溝２４内を配線された電熱マット側ケーブル２０は、壁内に導かれる。この実施形態における壁３０は、間柱３１等の壁下地上に壁材３２を施工し、その下端に幅木３３を釘３４で固定した構成を有するものとして示される。（図８）壁内では、ケーブル端部に設けたコネクタ６によりコントローラ側ケーブルとの接続を行うことができる。また、壁３２の下端部は電熱マット側ケーブル２０とコントローラ側ケーブル５との接続を行う部分に切り抜き口３５を形成し、その室内側に幅木３３を取り外し可能に取り付けることにより、切り抜き口３５を通してケーブルの接続作業あるいは取り外し作業を室内側から行うことができる。
【手続補正１０】
【補正対象書類名】明細書
【補正対象項目名】００３５
【補正方法】変更
【補正の内容】
【００３５】
（３）電熱マット１の周囲に周辺パネル１０，１０・・・を下地材１７上に施工する。周辺パネル１０の施工は、接着剤、両面テープ、釘打ち、その他任意の固着手段を用いて行うことができる。
【手続補正１１】
【補正対象書類名】明細書
【補正対象項目名】００３７
【補正方法】変更
【補正の内容】
【００３７】
（５）配線ボックス９から引き出されるケーブル２０の配線経路を決定し、これに基づいて周辺パネル１０をカッターなどで切り欠いて、配線ボックス９から壁内に至るケーブル収容溝２４を形成する。
【手続補正１２】
【補正対象書類名】明細書
【補正対象項目名】００４０
【補正方法】変更
【補正の内容】
【００４０】
（８）壁側から順次に暖房用床板２を施工する。暖房用床板２の施工は、接着剤、両面テープ、雄実２ａ部分での釘打ち、その他任意の固着手段を用いて行うことができる。部屋の隅に施工する床板（周辺床板）については、その使用枚数を決定し、雄実またが雌実のいずれか一方を切除するとともに幅調整を行っておき、雄実側を切除した最外側用の床板（図１の最左列に示される周辺床板１８）の切除端面を壁下地３１に突き当てるようにして最初に施工した後、順次に実嵌合により所定枚数を施工する。
【手続補正１３】
【補正対象書類名】明細書
【補正対象項目名】００４６
【補正方法】変更
【補正の内容】
【００４６】
１  （１ａ，１ｂ）  電熱マット
２  暖房用床板
３  コントローラ
７  電源コード
８  プラグ
９  配線ボックス
１０  周辺パネル
１２  電気ヒーター線
１５  小根太
１７  下地材
１９  孔
２０  電熱マット側ケーブル
２０ａ  細長状のマット
２０ｂ  配線コード
２０ｃ  シート  
２４  ケーブル収容溝
【手続補正１４】
【補正対象書類名】図面
【補正対象項目名】図６
【補正方法】変更
【補正の内容】
【図６】
2005226906.tif 000001